(57)【要約】【課題】簡易な加工によって容易に設計変更を行うことができるラケットフレームを提供する。【解決手段】ラケットフレームは、フェイス面に沿って環状に形成されたヘッドを備えている。ヘッドには、径方向の外側の領域に形成され、径方向の内側に向かって凹み、内部にグロメット２３同士を接続するベース部２７が挿入されるガット溝と、ヘッドの径方向の外側の領域に形成され、径方向の内側に向かって凹んだ変形促進溝２１とが形成されている。【選択図】図５
2019107057.tif 000002
【特許請求の範囲】
【請求項１】
フェイス面に沿って環状に形成されたヘッドを備え、
前記ヘッドには、
径方向の外側の領域に形成され、前記径方向の内側に向かって凹み、内部にグロメット同士を接続するベース部が挿入される第１溝と、
前記ヘッドの前記径方向の外側の領域に形成され、前記径方向の内側に向かって凹んだ第２溝と
が形成されていることを特徴とするラケットフレーム。
【請求項２】
前記第２溝は、前記第１溝よりも浅く形成されていることを特徴とする請求項１に記載のラケットフレーム。
【請求項３】
前記第２溝は、厚さ方向に複数形成され、前記第１溝は、複数の前記第２溝によって挟まれて形成されていることを特徴とする請求項１または２に記載のラケットフレーム。
【請求項４】
前記ヘッドにはグリップが取り付けられ、
前記第２溝は、前記ヘッドにおける前記グリップの取り付けられた側とは逆側の、ヘッド先端部に形成されていることを特徴とする請求項１から３のいずれか１項に記載のラケットフレーム。
【請求項５】
前記ヘッドにはグリップが取り付けられ、
前記第２溝は、前記ヘッドにおける前記グリップから前記グリップの取り付けられた側とは逆側のヘッド先端部に向かう軸方向に直交する幅方向の両端部に形成されていることを特徴とする請求項１から３のいずれか１項に記載のラケットフレーム。
【請求項６】
前記ヘッドにはグリップが取り付けられ、
前記第２溝は、前記ヘッドにおける前記グリップの取り付けられた側とは逆側のヘッド先端部及び前記フェイス面内で前記ヘッドにおける前記グリップから前記ヘッド先端部に向かう軸方向に直交する幅方向の両端部に形成されていることを特徴とする請求項１から３のいずれか１項に記載のラケットフレーム。
【請求項７】
前記第２溝は、前記ヘッドの周方向の全体に亘って形成されていることを特徴とする請求項１から３のいずれか１項に記載のラケットフレーム。
【請求項８】
前記第２溝は、前記ヘッドの周方向に沿って間欠的に形成されていることを特徴とする請求項１から６のいずれか１項に記載のラケットフレーム。
【発明の詳細な説明】
【技術分野】
【０００１】
本発明は、テニス等に使用されるラケットフレームに関する。
【背景技術】
【０００２】
従来、テニス等に使用されるラケットフレームとして、プレーヤーがラケットのフェイス面でボールを打つ際に、ラケットフレームの変形を促す形式のものが提案されている。そのようなラケットフレームとして、特許文献１に開示されたものがある。
【０００３】
特許文献１には、サイド補強層の圧縮弾性率をトップ補強層の圧縮弾性率よりも小さく形成することにより変形を促しているラケットフレームについて開示されている。プレーヤーがラケットのスイートスポット以外の部分でボールを打つ際には、ラケットフレームが変形することにより、ボールを打つ際の衝撃を緩和すると共に、復元によって速い速度でボールが打ち出されることが開示されている。
【先行技術文献】
【特許文献】
【０００４】
【特許文献１】特許第６０５３５３９号公報
【発明の概要】
【発明が解決しようとする課題】
【０００５】
特許文献１には、ラケットフレームのトップ補強層の圧縮弾性率とサイド補強層との圧縮弾性率との間に差を持たせることにより、ラケットフレームの変形を積極的に促している。
【０００６】
しかしながら、特許文献１に開示されたラケットフレームでは、トップ補強層の圧縮弾性率とサイド補強層との圧縮弾性率との間に差を持たせるために、トップ補強層を構成する材料とサイド補強層を構成する材料とが適切に選択される必要がある。そのため、一旦トップ補強層を構成する材料とサイド補強層を構成する材料とを決定してラケットフレームを製造すると、その後に設計変更を行うためには使用する材料を新たに選択する必要がある。つまり、ラケットフレームの設計変更のために材料を変えるのには、大きな手間がかかってしまう。そのため、一旦ラケットフレームが製造されると、ラケットフレームの設計変更を行うことは難しく、設計の幅が狭くなってしまう可能性がある。
【０００７】
そこで、本発明は上記の事情に鑑み、簡易な加工によって容易に設計変更を行うことができるラケットフレームを提供することを目的としている。
【課題を解決するための手段】
【０００８】
本発明のラケットフレームは、フェイス面に沿って環状に形成されたヘッドを備え、前記ヘッドには、径方向の外側の領域に形成され、前記径方向の内側に向かって凹み、内部にグロメット同士を接続するベース部が挿入される第１溝と、前記ヘッドの前記径方向の外側の領域に形成され、前記径方向の内側に向かって凹んだ第２溝とが形成されていることを特徴とする。
【０００９】
好ましくは、前記第２溝は、前記第１溝よりも浅く形成されている。
【００１０】
また、前記第２溝は、厚さ方向に複数形成され、前記第１溝は、複数の前記第２溝によって挟まれて形成されている。
【００１１】
また、好ましくは、前記ヘッドにはグリップが取り付けられ、前記第２溝は、前記ヘッドにおける前記グリップの取り付けられた側とは逆側の、ヘッド先端部に形成されている。
【００１２】
他の発明に係るラケットフレームは、前記ヘッドにはグリップが取り付けられ、前記第２溝は、前記ヘッドにおける前記グリップから前記グリップの取り付けられた側とは逆側のヘッド先端部に向かう軸方向に直交する幅方向の両端部に形成されている。
【００１３】
さらに他の発明に係るラケットフレームは、前記ヘッドにはグリップが取り付けられ、前記第２溝は、前記ヘッドにおける前記グリップの取り付けられた側とは逆側のヘッド先端部及び前記フェイス面内で前記ヘッドにおける前記グリップから前記ヘッド先端部に向かう軸方向に直交する幅方向の両端部に形成されている。
【００１４】
さらに他の発明に係るラケットフレームは、前記第２溝は、前記ヘッドの周方向の全体に亘って形成されている。
【００１５】
さらに他の発明に係るラケットフレームは、前記第２溝は、前記ヘッドの周方向に沿って間欠的に形成されている。
【発明の効果】
【００１６】
本発明のラケットフレームによれば、容易に設計変更を行うことができるので、設計の幅を広げることができると共に、製造コストを低く抑えることができる。
【図面の簡単な説明】
【００１７】
【図１】本発明の実施形態に係るラケットフレームの正面図である。
【図２】図１のラケットフレームの側面図である。
【図３】（ａ）は、図２のラケットフレームにおけるIIIA−IIIA線に沿う断面図であり、（ｂ）は（ａ）のＡ部分について拡大した断面図である。
【図４】（ａ）は、図１のラケットフレームにおける内部にストリングが通される部分についてグロメット及びストリングが取り付けられていない状態の断面図であり、（ｂ）は、（ａ）におけるヘッドの部分にグロメット及びストリングが取り付けられている状態の断面図である。
【図５】図４（ｂ）のラケットフレームにおいて、ストリングが内側に向かう方向に引っ張られることにより変形したときの断面図である。
【図６】本発明の実施例１に係るラケットフレームにおいて、変形促進溝を形成することにより広がったスイートスポットについて示した構成図である。
【発明を実施するための形態】
【００１８】
以下、本発明の実施形態に係るラケットフレームについて、添付図面を参照して説明する。
【００１９】
図１に、本発明の実施形態に係るラケットフレームの正面図を示す。また、図２に、本発明の実施形態に係るラケットフレームの側面図を示す。
【００２０】
図１及び図２に示されたラケットフレーム１は、ヘッド２、２つのスロート３、シャフト４及びグリップ５を備えている。このラケットフレーム１にグロメット、グリップテープ、エンドキャップ等が取り付けられ、さらにストリング（ガット）が張られることにより、硬式テニス用のラケットが得られる。図１において、上下方向はラケットフレーム１の軸方向であり、左右方向はラケットフレーム１の幅方向である。図２において、左右方向はラケットフレーム１の厚さ方向である。
【００２１】
このラケットフレーム１は、繊維強化樹脂からなる。この繊維強化樹脂のマトリクス樹脂は、熱硬化樹脂である。典型的な熱硬化樹脂は、エポキシ樹脂である。繊維強化樹脂の典型的な繊維は、カーボン繊維である。この繊維は、長繊維である。複数枚のプリプレグが巻かれ、このプリプレグに含まれる熱硬化樹脂が硬化することで、ラケットフレーム１が成形されている。
【００２２】
ヘッド２は、フェイス面Ｓ１の輪郭を形成している。フェイス面Ｓ１は、ストリングが張られる面であり、フェイス面Ｓ１に張られたストリングに球を当てて反発させることにより球が打ち出される。ヘッド２の正面形状は、略楕円である。従って、ヘッド２は、フェイス面Ｓ１に沿って環状に形成されている。楕円の長径方向は、ラケットフレーム１の軸方向と一致している。楕円の短径方向は、ラケットフレーム１の幅方向と一致している。それぞれのスロート３の一端は、ヘッド２と連続している。このスロート３は、他端の近傍で他のスロート３と合流している。スロート３は、ヘッド２から延びてシャフト４に至っている。シャフト４は、２つのスロート３が合流する箇所から延びている。シャフト４は、スロート３と連続的にかつ一体的に形成されている。グリップ５は、シャフト４と連続的にかつ一体的に形成されている。ヘッド２のうち２つのスロート３に挟まれた部分は、ヨーク６である。
【００２３】
図３（ａ）に、図２におけるIIIA−IIIA線に沿った断面について示した断面図を示し、図３（ｂ）に、図３（ａ）のラケットフレーム１におけるＡ部分の断面について拡大した断面図を示す。図３（ｂ）において、左側はヘッド２の外側であり、右側はヘッド２の内側である。図３（ｂ）に示されるように、ラケットフレーム１は中空に形成されている。ラケットフレーム１における図３（ａ）、（ｂ）に示される位置には、グロメット及びストリングは設けられていない。
【００２４】
図３（ａ）、（ｂ）に示されるように、ヘッド２には、ガット溝（第１溝）２０が形成されている。ガット溝２０は、ヘッド２における径方向の外側の領域に、径方向の内側に向かって凹んで形成されている。本実施形態では、ガット溝２０は、ヘッド２の周方向に沿ってヘッド２の外側面に形成されている。後述するように、ガット溝２０の内部には、複数のグロメット及びグロメット同士を接続するベース部が挿入される。図２に示されるように、ガット溝２０はヘッド２の周方向に沿って延在している。本実施形態では、ガット溝２０は、ヘッド２における周方向の全周に亘って形成されている。
【００２５】
図３（ｂ）に示されるように、ヘッド２には、ガット溝２０とは別に、ヘッド２の変形を促進させるための変形促進溝（第２溝）２１が形成されている。変形促進溝２１は、ヘッド２の径方向の外側の領域に、径方向の内側に向かって凹んで形成されている。変形促進溝２１は、ヘッド２の周方向に沿ってヘッド２の外側面に形成されている。また、変形促進溝２１は、ガット溝２０を挟むように、厚さ方向におけるガット溝２０の両側に少なくとも1本ずつ形成されている。本実施形態では、変形促進溝２１は、ラケットフレーム１の厚さ方向に２つ形成され、ラケットフレーム１における厚さ方向に沿った２つの変形促進溝２１の間の位置に、ガット溝２０が形成されている。
【００２６】
最適な変形促進溝２１の寸法としては、図３（ｂ）に示される幅ｌ１が１．０ｍｍ、深さｌ２が０．５ｍｍである。
【００２７】
また、変形促進溝２１の寸法として考えられる範囲としては、図３（ｂ）に示される幅ｌ１が０．５ｍｍ〜１．５ｍｍ、深さｌ２が０．３ｍｍ〜１．０ｍｍである。
【００２８】
このように、本実施形態では、変形促進溝２１は、厚さ方向に複数形成されている。ガット溝２０は、厚さ方向に複数形成された変形促進溝２１によって挟まれて形成されている。また、変形促進溝２１は、ガット溝２０よりも浅く形成されている。
【００２９】
図４（ａ）、（ｂ）に、図２のIVA−IVA線に沿うラケットフレーム１の断面について拡大した断面図を示す。
【００３０】
図４（ａ）、（ｂ）には、ラケットフレーム１における、内部にストリング２４が通される部分についての断面図が示されている。図４（ａ）には、グロメット及びストリングが取り付けられていない状態についての、ラケットフレーム１の断面図が示されている。
【００３１】
図４（ａ）に示されるように、グロメット２３が取り付けられる位置においては、ヘッド２には、ヘッド２を貫通するように、グロメット２３を配置するための、通路２２が形成されている。
【００３２】
図４（ｂ）には、グロメット２３及びストリング２４が取り付けられている状態についての、ラケットフレーム１の断面図が示されている。図４（ｂ）に示されるように、グロメット２３は、ベース部２７のうちの周方向についての一部とパイプ２５とを有して構成されている。
【００３３】
パイプ２５は、ヘッド２を貫通して形成された通路２２の内部に配置されている。ヘッド２にグロメット２３及びストリング２４が設けられた状態では、通路２２の内側には、パイプ２５が配置されている。ストリング２４は、パイプ２５の内部を通って、フェイス面Ｓ１における径方向の内側に向かって延びて配置されている。
【００３４】
周方向に沿って複数配置されたグロメット２３同士を接続するように、ベース部２７が、ヘッド２の外側に配置されている。ベース部２７は、帯状の形状を有しており、ガット溝２０の底面２６に当接するように、ガット溝２０の内部に周方向に沿って配置されている。
【００３５】
ストリング２４は、ヘッド２におけるフェイス面Ｓ１の周方向に沿って複数配置されている。周方向に沿ったそれぞれの位置で、ストリング２４は、フェイス面Ｓ１を形成するように、内側に向かって延びるように取り付けられている。内側に向かって延びたそれぞれのストリング２４に対応して、グロメット２３が、ヘッド２におけるフェイス面Ｓ１の周方向に沿って複数配置されている。
【００３６】
また、ストリング２４は、ガット溝２０の内部における、ベース部２７の径方向外側の位置で、周方向に沿って延びて配置されている。グロメット２３の取り付けられた位置でフェイス面Ｓ１を形成するように内側に延びたストリング２４が、ベース部２７の外側の位置で周方向に沿って延び、次のグロメット２３の位置でさらに内側に向かって延びるように配置されている。従って、ストリング２４は、フェイス面Ｓ１を形成するように内側に向かって配置された部分と、ベース部２７の外側で周方向に沿って配置された部分とを有している。
【００３７】
また、周方向に沿って複数配置されたグロメット２３同士を接続するベース部２７が、ヘッド２の径方向外側の側面に配置されているので、ベース部２７は、フェイス面Ｓ１の径方向の外側の位置に配置されている。そのため、ベース部２７は、ヘッド２におけるフェイス面Ｓ１の周方向に沿って複数並べられたグロメット同士を接続している。
【００３８】
このラケットフレーム１を用いたテニスラケットによってテニスボールが打撃されると、フェイス面Ｓ１でテニスボールが反発することにより、テニスボールが打ち出される。このとき、ストリング２４が撓むことにより、ストリング２４が内側に向かって引っ張られる。そのため、ストリング２４に、内側に向かう引張り力が作用する。
【００３９】
図５に、ラケットフレーム１のフェイス面Ｓ１によってテニスボールの打撃を行ったときの、ヘッド２の断面図を示す。ラケットフレーム１のフェイス面Ｓ１でテニスボールの打撃を行った際には、インパクトの瞬間に、ラケットフレーム１のスウィングされる方向の後方にストリング２４が引っ張られる。従って、ストリング２４が、打撃スポットで、ラケットフレーム１の厚さ方向の後方に引っ張られる。これにより、ラケットフレーム１への取り付け位置の近傍では、ストリング２４が、フェイス面Ｓ１における内側に向かう方向に引っ張られる。そのため、ストリング２４には、図５に示される引っ張り力Ｆ１が作用する。
【００４０】
フェイス面Ｓ１におけるスイートスポットの近傍でテニスボールが打撃されたときには、ストリング２４が、内側に向かう引っ張り力Ｆ１によって、内側に向かう方向に充分に伸長する。このストリング２４の伸長により、ラケットフレーム１に作用する衝撃が吸収される。また、伸長後のストリング２４は、復元する。この復元の際の復元力によって、速い速度でテニスボールがラケットフレーム１から打ち出される。
【００４１】
これに対し、スイートスポットから離れた位置でテニスボールが打撃されたときには、ストリング２４の伸長は十分ではない可能性がある。スイートスポットから離れ、フェイス面Ｓ１におけるラケットフレーム１近傍の位置でテニスボールが打撃されたときには、打撃スポットからストリング２４がラケットフレーム１に取り付けられた位置までの距離が短い。そのため、打撃によってストリング２４が内側に向かって引っ張られてストリング２４に引っ張り力Ｆ１が作用したとしても、ストリング２４における伸長するための長さが十分でないことから、ストリング２４の伸長が十分ではない可能性がある。従って、スイートスポットから離れた位置でテニスボールが打撃されたときには、ストリング２４の伸長が不十分であることから、テニスボールの反発が不十分となる可能性がある。
【００４２】
本実施形態では、ラケットフレーム１におけるヘッド２に、ガット溝２０とは別に、ガット溝２０を挟むように、ガット溝２０の両側部に、変形促進溝２１が形成されている。ヘッド２に変形促進溝２１が形成されているので、ヘッド２は、ストリング２４に引っ張り力Ｆ１が作用したときに、引っ張り力Ｆ１によって変形し易い形状を有している。
【００４３】
ストリング２４に引っ張り力Ｆ１が作用すると、図５に示されるように、変形促進溝２１よりもガット溝２０に近接した側の領域が矢印Ｄ１に示される方向に変形する。これにより、ヘッド２は、図５の破線によって示される形状となるように変形する。このとき、変形促進溝２１に引っ張り力Ｆ１による応力が集中するので、ヘッド２は比較的容易に変形する。ヘッド２が図５の破線によって示されるように変形するので、ストリング２４がヘッド２に取り付けられたグロメット２３の位置が、図５に示される距離ｄの分、内側に変位する。
【００４４】
このように、ヘッド２が変形するので、ストリング２４による伸長が不十分である場合にも、ヘッド２の変形がストリング２４による不十分な伸長を補うことができる。ストリング２４自身による伸長の不足する分が、ヘッド２が変形することによって補われるので、ラケットフレーム１に衝撃が作用したときにストリング２４が充分に変位する。テニスボールがフェイス面Ｓ１に当たる瞬間の衝撃がストリング２４の変位によって吸収され、ラケットフレーム１に作用する衝撃が緩和される。プレーヤーは、打球面の向きを維持したまま、ラケットを振り抜くことができる。
【００４５】
また、ストリング２４による復元が不十分であっても、その分ヘッド２が変形し、ヘッド２の変形からの復元が、ストリング２４の伸長の不足を補って復元する。ヘッド２による復元によって補われた復元力によって、速い速度でテニスボールがラケットフレーム１から打ち出される。
【００４６】
このラケットフレーム１では、スイートスポットから離れた位置でテニスボールが打撃されたときのストリング２４の不十分な伸長を、ヘッド２の変形が補うことができる。このように、このラケットフレーム１は、スイートスポットから離れた位置でテニスボールが打撃されたときの衝撃吸収性、操作性及び反発性に優れる。また、スイートスポットから離れた位置でテニスボールが打撃されたときにも、テニスボールがフェイス面Ｓ１に当たる瞬間のラケットフレーム１に作用する衝撃が緩和されると共に、反発性が高く保たれるので、結果的にラケットフレーム１のスイートエリアを広くすることができる。
【００４７】
前述の通り、スイートスポットの近傍でテニスボールが打撃されたときには、ストリング２４自身が充分に伸長する。従って、ストリング２４の伸長だけで、テニスボールがフェイス面Ｓ１に当たる瞬間のラケットフレーム１に作用する衝撃が緩和されると共に、反発性を高く保つことができる。そのため、この場合においても、ラケットフレーム１は、テニスボールが打撃されたときの衝撃吸収性、操作性及び反発性に優れる。
【００４８】
変形促進溝２１の形成される位置については、どのように形成されてもよい。ガット溝２０とは別の位置に形成され、ヘッド２の変形を促すことができるのであれば、変形促進溝２１は、ヘッド２のどの位置に形成されてもよい。
【００４９】
例えば、変形促進溝２１は、ラケットフレーム１の上下方向におけるトップ位置を含む領域に形成されてもよい。つまり、変形促進溝２１は、トップ位置の周辺の一定領域に形成されていてもよい。ここで、ラケットフレーム１において、ヘッド２における、スロート３、シャフト４及びグリップ５が設けられた側とは逆側の端部を、ヘッド２におけるトップ位置（ヘッド先端部）とする。
【００５０】
また、例えば、変形促進溝２１は、ヘッド２における、グリップ５からトップ位置に向かうラケットフレーム１の軸方向に直交する幅方向の両端部を含む領域に形成されていてもよい。つまり、変形促進溝２１は、ラケットフレーム１の幅方向の両端部周辺の一定領域に形成されていてもよい。
【００５１】
また、例えば、変形促進溝２１は、ヘッド２における、トップ位置を含む領域及び幅方向の両端部を含む領域の両方に形成されていてもよい。つまり、変形促進溝２１は、ラケットフレーム１のトップ位置の周辺の一定領域及び幅方向の両端部周辺の一定領域の両方に形成されていてもよい。
【００５２】
また、例えば、変形促進溝２１は、ヘッド２における周方向の全体に亘って形成されていてもよい。変形促進溝２１は、ヘッド２の周方向に沿って、周方向の全体に亘って、外側面に連続して形成されていてもよい。
【００５３】
また、例えば、変形促進溝２１は、ヘッド２の周方向に沿って、間欠的に形成されていてもよい。
【００５４】
また、ストリング２４は、縦糸として用いられるストリングと横糸として用いられるストリングとを有している。前述の通り、ヘッド２の正面形状は略楕円であり、この楕円の長径方向はラケットフレーム１の軸方向と一致している。従って、平均的な縦糸の長さは、平均的な横糸の長さよりも大きい。概して縦糸は、横糸よりも伸長しやすい。
【００５５】
この横糸の伸長の度合いの不足を補うために、横糸の取り付けられた部分の周辺にのみ変形促進溝２１が設けられてもよい。これにより、ヘッド２における、横糸の取り付けられた部分の周辺の領域のみ、変形し易くすることができる。従って、横糸の不十分な伸長の度合いを補うことができる。
【００５６】
また、横糸の伸長の度合いの不足を補うために、横糸の取り付けられた部分の周辺に形成された変形促進溝２１と、縦糸の取り付けられた部分の周辺に形成された変形促進溝２１との間で、変形促進溝２１の深さに差を設けてもよい。つまり、縦糸の取り付けられた部分の周辺に形成された変形促進溝２１の深さを、横糸の取り付けられた部分の周辺に形成された変形促進溝２１の深さよりも深く形成してもよい。これにより、ヘッド２における、横糸の取り付けられた部分の周辺の領域を、縦糸の取り付けられた部分の周辺の領域よりも変形し易くすることができる。そのため、横糸の取り付けられた部分の周辺の伸長度合いの不足を補うことができる。
【００５７】
また、１本の変形促進溝２１内において溝の深さが均一でなくてもよい。
【００５８】
また、１本の変形促進溝２１内において溝の幅が均一でなくてもよい。
【００５９】
また、変形促進溝２１は直線形状でなくてもよく、波線形や稲妻形の線形状であってもよい。
【００６０】
なお、上記実施形態では、変形促進溝２１が厚さ方向に２つ形成され、変形促進溝２１によってガット溝２０が挟まれて構成されているラケットフレームについて説明したが、本発明は上記実施形態に限定されない。変形促進溝２１は、ガット溝２０のいずれか一方の側にのみ形成され、ラケットフレーム１の厚さ方向に１つだけの変形促進溝２１が形成される形態であってもよい。また、変形促進溝２１は、厚さ方向に３つ以上形成されていてもよい。変形促進溝２１が形成されることによってヘッド２の変形が促され、ストリングの伸長度合の不足を補うことができるのであれば、変形促進溝２１の数は厚さ方向にいくつ形成されていてもよい。
【００６１】
また、変形促進溝２１は、複数枚のプリプレグが巻かれ熱硬化樹脂が硬化してラケットフレーム１が成形される段階で形成されてもよいし、後でラケットフレームの表面を削り取ることにより形成されてもよい。
【００６２】
本実施形態によれば、ストリング２４による伸長の度合いが不十分である場合に、ヘッド２に変形促進溝２１を形成し、ヘッド２の変形によってストリング２４による伸長の不足を容易に補うことができる。変形促進溝２１は、ラケットフレーム１が製造された後に、簡易な加工によって形成することができる。従って、ラケットフレーム１に変形促進溝２１を容易に形成することができる。すなわち、ラケットフレームを形成するための材料の変更等を行わずに、変形促進溝２１を形成するだけでラケットフレーム１の設計変更を容易に行うことができる。従って、センター位置を外れた位置でボールの打撃を行ったときの反発係数が不十分である場合には、容易に、不十分な反発係数を補うような設計変更をラケットフレーム１に行うことができる。
【００６３】
容易にラケットフレーム１の設計変更を行うことができるので、ラケットフレーム１の設計の幅を広げることができる。また、設計変更を容易に行うことができるので、設計変更が生じた場合のラケットフレームの製造コストを低く抑えることができる。
【実施例】
【００６４】
以下、実施例によって本発明の効果が明らかにされるが、この実施例の記載に基づいて本発明が限定的に解釈されるべきではない。
【００６５】
［実施例１］
図１から５に示されたラケットフレームを製作した。実施例１のラケットフレームにおいては、横糸のストリングが取り付けられる位置に、変形促進溝が形成されている。
【００６６】
［比較例１］
比較例１のラケットフレームにおいては、実施例１と同様のラケットフレームであるが、変形促進溝が形成されていない。
【００６７】
実施例１と比較例１のラケットフレームを用い、各ラケットフレームのフェイス面の各位置に向けてテニスボールを発射し、テニスボールがフェイス面で反発したときの反発係数を測定した。
【００６８】
ラケットフレームに向けてテニスボールを発射した際の条件は以下の通りである。
・テニスラケット
重量：３００（ｇ）
バランス（グリップエンドからの重心の位置）：３２０ｍｍ
スウィングウェイト：２８８ｋｇ・ｃｍ２
ストリング：ＲＰＭブラスト１２５
センター面圧：４５（ポンド）
・テニスボール
球速：３０ｍ／ｓ
球種：ＦＯＲＴ
テニスラケットについては、ラケットフレームにおける横糸の取り付けられた部分の外側面に変形促進溝が形成されたタイプのもの（実施例１）と、ラケットフレームに変形促進溝が形成されていないタイプのもの（比較例１）との２種類を用いた。
【００６９】
２タイプのテニスラケットのそれぞれに、打撃スポットを変えてテニスボールを発射し、それぞれの打撃スポットについての反発係数を測定した。
【００７０】
［評価］
表１に、ラケットのトップ位置からの距離を変えながら、各打撃スポットについての、反発係数を算出した結果を示す。表１では、実施例１のテニスラケットと、比較例１のテニスラケットのそれぞれについて、反発係数を算出している。また、表１では、幅方向の位置について、センターと、センターから３ｃｍ外側に外れた位置と、センターから６ｃｍ外側に外れた位置について、それぞれ反発係数を算出している。
【００７１】
【表１】
2019107057.tif 000003
【００７２】
また、表２に、ラケットの幅方向の位置についての、それぞれの平均値を算出した。
【００７３】
【表２】
2019107057.tif 000004
【００７４】
表２に示されるように、センターから６ｃｍ外側に外れた位置で打撃を行ったときに、変形促進溝の有る実施例１のタイプのテニスラケットの方が、変形促進溝の無い比較例１のタイプのテニスラケットよりも、反発係数が高い。この試験では、センターから６ｃｍの位置で、実施例１のテニスラケットの反発係数が、比較例１のテニスラケットの反発係数に対し１２％高い。この結果から、変形促進溝が形成されることにより、センターから外れた位置でテニスボールの打撃を行ったときの反発性が高くなることが確認される。
【００７５】
従って、図６に示されるように、変形促進溝を形成することにより、ラケットフレームのスイートエリア３０を広くすることができる。実施例１のラケットフレームにおいては、破線によって囲まれたＧ１、Ｇ２の領域に変形促進溝が形成され、横糸のストリングが取り付けられた位置に変形促進溝が形成されているので、ラケットフレームの横方向にスイートエリア３０が広がっている。
【００７６】
従って、ラケットフレームのフェイス面におけるセンター位置から外れた位置で打撃を行ったとしても、その部分での反発性が高く保たれているので、速い速度でテニスボールを打ち出すことができる。この評価結果から、本発明の優位性は明らかである。
【符号の説明】
【００７７】
１・・・ラケットフレーム
２・・・ヘッド
３・・・スロート
４・・・シャフト
５・・・グリップ
６・・・ヨーク
２０・・・ガット溝
２１・・・変形促進溝
２３・・・グロメット
２４・・・ストリング
２７・・・ベース部
【図１】
2019107057.tif 000005
【図２】
2019107057.tif 000006
【図３】
2019107057.tif 000007
【図４】
2019107057.tif 000008
【図５】
2019107057.tif 000009
【図６】
2019107057.tif 000010